(57)【要約】【課題】煩雑な操作を必要とせず、且つ安価に情報伝達をすることが可能な情報伝達方法およびシステムを提供する。【解決手段】電話回線を介して通話および通信を行うことができる携帯電話やＰＨＳ等の携帯通信端末１は表示部２に表示する画像３を経時的に変化させることで、情報を情報受信装置４に伝達し、情報受信装置４は携帯通信端末１の画像の表示変化を受信部５で受信し、受信した表示変化（例えば、表示間隔等）から情報を認識する。例えば、情報受信端末４が自動販売機の場合、自動販売機の商品を購入する際に、ユーザ情報や購入商品の情報等を携帯通信端末１の表示部２に表示する画像３の表示変化によって自動販売機に伝達し、自動販売機は携帯通信端末１の画像３の表示変化を受信部５で受信し、受信した表示変化からユーザ情報や購入商品の情報等を認識して商品の販売を行い、携帯受信端末１の使用料金に販売した商品の金額を課金する。【選択図】　図１
2004032529.tif 000002
【特許請求の範囲】
【請求項１】
表示器を有する装置から他の装置へ情報を伝達する情報伝達方法において、
前記表示器に伝達する前記情報に対応して第１の色の画像と第２の色の画像を所定の間隔で交互に表示し、
前記他の装置は、前記表示器に表示された第１の色の画像と第２の色の画像との表示間隔を検出して、該検出した表示間隔に基づき前記情報の受信を行う
ことを特徴とする情報伝達方法。
【請求項２】
前記第１の色および前記第２の色は、白若しくは黒である
ことを特徴とする請求項１記載の情報伝達方法。
【請求項３】
前記第１の色および前記第２の色は、カラーであり、
前記他の装置は、前記表示器に表示された第１の色の画像と第２の色の画像との表示間隔およびその色を検出して、該検出した表示間隔およびその色に基づき前記情報の受信を行う
ことを特徴とする請求項１記載の情報伝達方法。
【請求項４】
前記第１の色の画像および前記第２の色の画像は、特定の色の背景色上に表示される
ことを特徴とする請求項１記載の情報伝達方法。
【請求項５】
第１の装置に設けられた表示器を用いて第２の装置へ所望の情報を伝達する情報伝達システムにおいて、
前記第１の装置は、
伝達する情報に対応して第１の色の画像と第２の色の画像とを前記表示器に所定の間隔で交互に表示する表示制御手段
を具備し、
前記第２の装置は、
前記表示器に表示された第１の色の画像と第２の色の画像との表示間隔を検出して、該検出した表示間隔に基づき前記情報の受信を行う受信手段
を具備する
ことを特徴とする情報伝達システム。
【請求項６】
前記表示制御手段により前記表示器に表示される前記第１の色および前記第２の色は、白若しくは黒である
ことを特徴とする請求項５記載の情報伝達システム。
【請求項７】
前記表示制御手段により前記表示器に表示される前記第１の色および前記第２の色は、カラーであり、
前記受信手段は、前記表示器に表示された第１の色の画像と第２の色の画像との表示間隔およびその色を検出して、該検出した表示間隔およびその色に基づき前記情報の受信を行う
ことを特徴とする請求項５記載の情報伝達システム。
【請求項８】
前記表示制御手段は、前記第１の色および前記第２の色の画像を特定の色の背景色上に表示する
ことを特徴とする請求項５記載の情報伝達システム。
【発明の詳細な説明】
【０００１】
【発明の属する技術分野】
本発明は、情報伝達方法およびシステムに関し、特に、携帯通信端末等の表示器を用いて他の装置へ所望の情報の伝達を可能にした情報伝達方法およびシステムに関する。
【０００２】
【従来の技術】
従来、携帯電話等の携帯通信端末から携帯通信端末以外の機器へ情報を伝達する場合、赤外線通信、バーコード等を読み取る画像認識およびキーボードによる手入力等が提案されている。
【０００３】
【発明が解決しようとする課題】
しかし、赤外線通信を利用して情報を伝達する場合、携帯通信端末が赤外線通信を行うための通信手段を具備する必要が有り、情報を受け取る情報受信装置にもこれらの通信手段を具備する必要が有るため、高価格化や大型化の問題があった。
【０００４】
また、バーコード等を読み取る画像認識を利用する場合でも、情報を受け取る装置の高価格化や大型化の問題があった。
【０００５】
また、キーボードによる手入力を利用する場合、ユーザが必要な情報を入力する手間や誤入力等の問題があった。
【０００６】
そこで、本発明は、上記の問題点を解消し、煩雑な操作を必要とせず、且つ安価に所望の情報を伝達することができるようにした情報伝達方法およびシステムを提供することを目的とする。
【０００７】
【課題を解決するための手段】
上述した目的を達成するため、請求項１の発明は、表示器を有する装置から他の装置へ情報を伝達する情報伝達方法において、前記表示器に伝達する前記情報に対応して第１の色の画像と第２の色の画像を所定の間隔で交互に表示し、前記他の装置は、前記表示器に表示された第１の色の画像と第２の色の画像との表示間隔を検出して、該検出した表示間隔に基づき前記情報の受信を行うことを特徴とする。
【０００８】
また、請求項２の発明は、請求項１の発明において、前記第１の色および前記第２の色は、白若しくは黒であることを特徴とする。
【０００９】
また、請求項３の発明は、請求項１の発明において、前記第１の色および前記第２の色は、カラーであり、前記他の装置は、前記表示器に表示された第１の色の画像と第２の色の画像との表示間隔およびその色を検出して、該検出した表示間隔およびその色に基づき前記情報の受信を行うことを特徴とする。
【００１０】
また、請求項４の発明は、請求項１の発明において、前記第１の色の画像および前記第２の色の画像は、特定の色の背景色上に表示されることを特徴とする。
【００１１】
また、請求項５の発明は、第１の装置に設けられた表示器を用いて第２の装置へ所望の情報を伝達する情報伝達システムにおいて、前記第１の装置は、伝達する情報に対応して第１の色の画像と第２の色の画像とを前記表示器に所定の間隔で交互に表示する表示制御手段を具備し、前記第２の装置は、前記表示器に表示された第１の色の画像と第２の色の画像との表示間隔を検出して、該検出した表示間隔に基づき前記情報の受信を行う受信手段を具備することを特徴とする。
【００１２】
また、請求項６の発明は、請求項５の発明において、前記表示制御手段により前記表示器に表示される前記第１の色および前記第２の色は、白若しくは黒であることを特徴とする。
【００１３】
また、請求項７の発明は、請求項５の発明において、前記表示制御手段により前記表示器に表示される前記第１の色および前記第２の色は、カラーであり、前記受信手段は、前記表示器に表示された第１の色の画像と第２の色の画像との表示間隔およびその色を検出して、該検出した表示間隔およびその色に基づき前記情報の受信を行うことを特徴とする。
【００１４】
また、請求項８の発明は、請求項５の発明において、前記表示制御手段は、前記第１の色および前記第２の色の画像を特定の色の背景色上に表示することを特徴とする。
【００１５】
【発明の実施の形態】
以下、本発明に係わる情報伝達方法およびシステムの実施の形態について添付図面を参照して詳細に説明する。
【００１６】
図１は、本発明に関わる情報伝達システムの構成の一例を示す図である。
【００１７】
図１に示すように、電話回線を介して通話および通信を行うことができる携帯電話やＰＨＳ等の携帯通信端末１は表示部２に表示する画像３を経時的に変化させることで、情報を情報受信装置４に伝達し、情報受信装置４は携帯通信端末１の画像の表示変化を受信部５で受信し、受信した表示変化（例えば、表示間隔等）から情報を認識する。
【００１８】
例えば、情報受信端末４が自動販売機の場合、ユーザが自動販売機の商品を購入する際に、ユーザはユーザ情報や購入商品の情報等を携帯通信端末１の表示部２に表示する画像３の表示変化によって自動販売機に伝達し、自動販売機は携帯通信端末１の画像３の表示変化を受信部５で受信し、受信した表示変化からユーザ情報や購入商品の情報等を認識して商品の販売を行い、ユーザの携帯受信端末１の使用料金に販売した商品の金額を課金する。
【００１９】
また、情報受信装置４がドア鍵の場合、ユーザがドアのロックを解除する際に、ユーザはユーザ情報とドアロック解除情報等を携帯通信端末１の表示部２に表示する画像３の表示変化によってドア鍵に伝達し、ドア鍵は携帯通信端末１の画像３の表示変化を受信部５で受信し、受信した表示変化からユーザ情報やドアロック解除情報等を認識してドアのロックの解除を行い、ドアの開閉管理情報に誰がドアのロックを解除したのかを記録する。
【００２０】
図２は、携帯通信端末１の概略構成の一例を示すブロック図である。
【００２１】
図２に示すように、携帯通信端末１は制御部６、電話部７、マイク８、スピーカ９、アンテナ１０、記憶部１１、操作部１２、照明部１３、表示部２、表示制御部１４から構成されている。
【００２２】
ここで、制御部６は、携帯通信端末１全体の制御を行うとともに、記憶部１１に記憶されたプログラム等を実行する。
【００２３】
また、電話部７は、電話回線（無線）を介した通話および通信を行う。ここで、通話時には、マイク８から入力された音声は電話部７で音声処理を施され、所定の周波数の電波に重畳されてアンテナ１０から図示しない基地局へ送信され、一方、基地局から受信する電波はアンテナ１０を介して電話部７に入力され、電話部７は入力した電波から所定の信号を抽出し、抽出した信号を復調して音声化し、スピーカ９から出力する。
【００２４】
また、記憶部１１は、携帯通信端末１を制御する制御プログラムや情報を伝達するために表示部２の画像３の表示変化を実行するプログラム（アプリケーションソフト）等を記憶する。
【００２５】
また、操作部１２は、ユーザが入力する携帯通信端末１の各部への指示や設定、通信の開始および停止や送信先の設定等を受け付ける。
【００２６】
また、照明部１３は、表示部２の表示面を照明するためのバックライトおよび操作部１２である複数の操作キー（図示しない）を照明するためのバックライトの点灯と消灯とを行う。
【００２７】
また、表示部２は、液晶ディスプレイ等で構成され、操作部１２によって入力された各種の情報や画像等をユーザに対して表示する。
【００２８】
また、表示制御部１４は、記憶部１１に記憶されたプログラム等を読み出して、表示部２に画像３を表示したり、表示している画像３を変化させる等の制御を行う。
【００２９】
図３は、携帯通信端末１の外観の一例を示す図である。
【００３０】
図３に示すように、携帯通信端末１の筐体には、スピーカ９とマイク８、操作部１２（操作キー）、表示部２（液晶ディスプレイ）、アンテナ１０が配されている。ここで、ユーザが操作部１２を操作することで、表示部２に表示された画像３を経時的に変化させる。
【００３１】
図４は、表示部２に表示する画像３の表示変化によって情報を伝達する際の表示部３の一例を示す図である。
【００３２】
図４（ａ）は、画像３が表示している表示部２の一例を示し、図４（ｂ）は、画像３が表示していない表示部２の一例を示す。ここで、図４（ａ）に示すように、表示部２に表示された画像３の表示色は白若しくは黒であり、表示部２の背景１５の色は白であり、背景１５の色は変化させないものとする。そして、この画像３を表示変化させることで、情報を情報受信装置４に伝達する。
【００３３】
例えば、予め設定した一定時間における表示色が黒の画像表示を「１」、表示色が白の画像表示を「０」とし、画像３を黒の画像と白の画像とを所定の間隔で交互に表示させることでディジタル信号を生成し、生成したディジタル信号を用いて情報を情報受信装置４に送信する。
【００３４】
なお、上記実施例では、画像３の表示色を白若しくは黒とし、表示部２の背景１５の色を白として説明してきたが、表示部２の背景１５の色を黒とする構成でも適用可能であり、更に画像３の表示色がカラーの構成でも適用可能である。ここで、画像３の表示色をカラーにすることで、伝達する情報の量を増やすことができる。
【００３５】
なお、図４に示す画像３の形状は正方形だが、画像３の形状は長方形、多角形若しくは円等でも適用可能である。また、画像３の大きさについても規制はなく、例えば、表示部２全面を覆う大きさの画像３でも適用可能である。
【００３６】
図５は、情報受信装置４の概略構成の一例を示すブロック図である。
【００３７】
図５に示すように、情報受信装置４は受信部５、信号処理部１６、主制御部１７、その他の処理部１８から構成されている。
【００３８】
ここで、携帯通信端末１の表示部２に表示された画像３の表示変化を受信部５が受信し、受信した表示変化を信号処理部１６に送信し、信号処理部１６は受信した表示変化に基づいて情報を認識し、認識した情報を主制御部１７に送信する。そして、主制御部１７は受信した情報に基づく制御および動作をその他の処理部１８に指示する。
【００３９】
図６は、情報受信装置４の受信部５の詳細について示す図である。
【００４０】
図６（ａ）は、携帯通信端末１の表示部２に表示される画像３の表示色が２色で、画像３の２色のうち１色と表示部２の背景の色とが同色である場合の例である。図６（ａ）に示すように、受信部５は１つの受光素子１９１から構成され、表示部２の画像３の表示変化を１つの受光素子１９１で受信している。なお、画像３の表示色が２色の場合でも、画像３を表示する際に画像３の表示色にコントラスト（階調）を付けることで、伝達する情報の量を増やすことができる。
【００４１】
次に、図６（ｂ）は、携帯通信端末１の表示部２に表示される画像３の表示色が複数色（ｎ色）である場合の第１の例である。図６（ｂ）に示すように、受信部５はｎ個の受光素子１９２と透過する色が異なるｎ個の光学フィルター２０２から構成され、受光素子１９２の前方に光学フィルター２０２が設置されている。
【００４２】
例えば、画像３の表示色が赤、青、黄の３色である場合、赤を透過させる光学フィルター２０２と、青を透過させる光学フィルター２０２と、黄を透過させる光学フィルター２０２とが設置される。そして、画像３が表示された際に表示色が赤の場合、赤を透過させる光学フィルター２０２の後方に設置される受光素子１９２が受信し、画像３が表示された際に表示色が青の場合、青を透過させる光学フィルター２０２の後方に設置される受光素子１９２が受信し、画像３が表示された際に表示色が黄の場合、黄を透過させる光学フィルター２０２の後方に設置される受光素子１９２が受信する。
【００４３】
従って、画像３を表示する際に画像３の表示色を変化させることで、伝達する情報の量を増やすことができる。
【００４４】
次に、図６（ｃ）は、携帯通信端末１の表示部２に表示される画像３の表示色が複数色（ｎ色）である場合の第２の例である。図６（ｃ）に示すように、受信部５は３個の受光素子１９３と、光の３原色のＲ成分（赤）を透過させる光学フィルター２０３１、光の３原色のＧ成分（緑）を透過させる光学フィルター２０３２および光の３原色のＢ成分（青）を透過させる光学フィルター２０３３とから構成されている。なお、受光素子１９３と各光学フィルター（２０３１〜２０３３）との設置関係については図６（ｂ）と同様である。
【００４５】
例えば、表示部２に画像３が表示された際に、各光学フィルター（２０３１〜２０３３）が透過したＲ、Ｇ、Ｂ成分を各受光素子１９３が受信し、受信したＲ、Ｇ、Ｂ成分の光量に基づいて画像３の表示色を判断する。
【００４６】
従って、画像３を表示する際に画像３の表示色を変化させることで、伝達する情報の量を増やす点においては、図６（ｂ）に示す構成と同様だが、表示部２に表示する画像３の表示色が複数色でも、３個の光学素子１９３で画像３の表示色を判断することで、情報受信装置４の更なる小型化が可能になる。
【００４７】
なお、図６（ｂ）若しくは図６（ｃ）に示す構成において、光学フィルターを前方に設置しない受光素子を新たに設け、新たに設けた受光素子が受光した光量に基づき、光学的な信号をディジタル信号に変換する際の２値化の閾値を設定する構成も適用可能である。
【００４８】
次に、携帯通信端末１と情報受信装置４とが行う情報伝達の処理手順について図７に示すフローチャートを参照して説明する。
【００４９】
ユーザが携帯通信端末の表示部を情報受信装置の受信部に向けて携帯通信端末の操作部を操作すると、表示部の画像が表示変化を開始し（ステップＳ７０１）、情報受信装置の受信部は携帯通信端末の表示部の表示変化を受信し（ステップＳ７０２）、受信した表示変化を信号処理部に送信し（ステップＳ７０３）、信号処理部は受信した表示変化を信号に変換し（ステップＳ７０４）、変換した信号のパリティチェックおよび誤り訂正を行い（ステップＳ７０５）、正常受信であれば（ステップＳ７０６でＹＥＳ）、信号を主制御部に送信し（ステップＳ７０７）、主制御部は受信した信号に基づいて携帯通信端末から伝達された情報を認識し（ステップＳ７０８）、処理手順を終了する。
【００５０】
なお、ステップＳ７０６において正常受信でない場合（ステップＳ７０６でＮＯ）、エラー等の旨をユーザに伝え（ステップＳ７０９）、処理手順を終了する。
【００５１】
【発明の効果】
以上説明したように本発明によれば、煩雑な操作を必要とせず、且つ安価に情報伝達をすることが可能になるという効果を奏する。
【図面の簡単な説明】
【図１】本発明に関わる情報伝達システムの構成の一例を示す図である。
【図２】携帯通信端末１の概略構成の一例を示すブロック図である。
【図３】携帯通信端末１の外観の一例を示す図である。
【図４】表示部２に表示する画像３の表示変化によって情報を伝達する際の表示部３の一例を示す図である。
【図５】情報受信装置４の概略構成の一例を示すブロック図である。
【図６】情報受信装置４の受信部５の詳細について示す図である。
【図７】携帯通信端末１と情報受信装置４とが行う情報伝達の処理手順を示すフローチャートである。
【符号の説明】
１　　携帯通信端末
２　　表示部
３　　画像
４　　情報受信装置
５　　受信部
６　　制御部
７　　電話部
８　　マイク
９　　スピーカ
１０　　アンテナ
１１　　記憶部
１２　　操作部
１３　　照明部
１４　　表示制御部
１５　　背景
１６　　信号処理部
１７　　主制御部
１８　　その他の処理部
１９１、１９２、１９３　　受光素子
２０２、２０３１、２０３２、２０３３　　光学フィルター
【図１】
2004032529.tif 000003
【図２】
2004032529.tif 000004
【図３】
2004032529.tif 000005
【図４】
2004032529.tif 000006
【図５】
2004032529.tif 000007
【図６】
2004032529.tif 000008
【図７】
2004032529.tif 000009